(57)【要約】【課題】　垂直磁気記録媒体を提供する。【解決手段】　基板上に垂直磁気記録膜が設けられ、前記基板と垂直磁気記録膜との間に軟磁性層が介在されている垂直磁気記録媒体において、前記軟磁性層と基板との間に前記軟磁性層を磁気的及び結晶学的に配向する軟磁性配向膜が介在されている垂直磁気記録媒体。これにより、軟磁性層の下部に軟磁性層を磁気的に配向する軟磁性配向膜を設けることによって、軟磁性層が薄い膜厚を有したとしても安定化できてかつノイズ発生量を減らすことができる。【選択図】　　　図３
2004063076.tif 000002
【特許請求の範囲】
【請求項１】
　基板上に垂直磁気記録膜が設けられ、前記基板と垂直磁気記録膜との間に軟磁性層が介在されている垂直磁気記録媒体において、
　前記軟磁性層と基板との間に前記軟磁性層を磁気的及び結晶学的に配向する軟磁性配向膜が介在されていることを特徴とする垂直磁気記録媒体。
【請求項２】
　前記垂直磁気記録膜と前記軟磁性層との間に前記垂直磁気記録膜を磁気的に垂直配向する垂直配向下地膜が介在されていることを特徴とする請求項１に記載の垂直磁気記録媒体。
【請求項３】
　前記軟磁性配向膜はＰｔ、Ａｕ、Ａｇ、Ｐｄ、Ｃｏまたはパーマロイを主材料として形成されたことを特徴とする請求項１または２に記載の垂直磁気記録媒体。
【発明の詳細な説明】
【技術分野】
【０００１】
　本発明は垂直磁気記録媒体に係り、より詳細には記録密度が増大した垂直磁気記録媒体に関する。
【背景技術】
【０００２】
　一般的に水平磁気記録メカニズムに比べて垂直磁気記録メカニズムが高い記録密度を有すると知られている。したがって、最近のハードディスクドライブ（以下、ＨＤＤ）は、記録密度を高くするために垂直記録メカニズムを採択している。垂直磁気記録メカニズムは磁化方向が媒体の表面（主平面）に垂直な方向に配列されるものである。このような垂直磁気記録メカニズムにおいては二重磁気層垂直磁気記録媒体とシングルポールヘッドとを共に適用する。シングルポールヘッドの磁気回路特性上、二重磁気層垂直記録媒体が必ず使用される。二重磁気層垂直記録媒体内には、軟磁性膜が磁気記録膜の下部に位置し、これが相当な厚い膜厚を有する。このような軟磁性膜は膜厚が厚いために高いノイズを発生させる恐れがある。
【０００３】
　図１及び図２は従来の相異なる二重磁気層垂直磁気記録媒体の積層構造を各々示す。
　まず、図１を参照すれば、基板１００の上面に情報が記録される垂直磁気記録膜１０３が設けられており、前記基板１００と垂直磁気記録膜１０３との間には垂直磁気記録膜１０３の磁気配列を垂直に配向する垂直配向下地膜１０２とその下部の軟磁性膜１０１とが上下に介在されている。前記垂直磁気記録膜１０３上には垂直磁気記録膜１０３を外部から保護する保護膜１０４が形成され、この上にはＨＤＤの磁気ヘッドとの衝突及び摺動によるヘッド及び保護膜の摩耗を減少させるための潤滑膜１０５が形成される。
【０００４】
　図２を参照すれば、基板２００の上面に情報が記録される垂直磁気記録膜２０３が設けられており、前記基板２００と垂直磁気記録膜２０３との間には軟磁性膜２０１が介在されている。前記垂直磁気記録膜２０３上には保護膜２０４及び潤滑膜２０５が順に形成される。
【０００５】
　前記軟磁性膜１０１、２０１は、シングルポールヘッドを利用して垂直磁気記録を行う時、ヘッドから出る垂直磁気場の磁路を形成して垂直磁気記録膜１０３、２０３に情報の記録を可能にする役割をする。このような役割にもかかわらず記録したパターンを再生する時に軟磁性膜１０１、２０１から出るノイズが大きくてＳＮ比（Ｓｉｇｎａｌ／Ｎｏｉｓｅ　Ｒａｔｉｏ）を低下させる要素として作用する。このような軟磁性膜のノイズは、シングルポールヘッドの磁路を形成するために、軟磁性膜を厚く蒸着させて安定した軟磁性を確保していることから発生する。この軟磁性層からのノイズの大きさは、軟磁性層の厚さに比例する。
【発明の開示】
【発明が解決しようとする課題】
【０００６】
　本発明は二重磁気層垂直記録メカニズムにおいて軟磁性膜の厚さを最小化してこれにより軟磁性層ノイズを減少させうる垂直磁気記録媒体を提供することにその目的がある。
【課題を解決するための手段】
【０００７】
　前記目的を達成するために、本発明によれば、基板上に垂直磁気記録膜が設けられ、前記基板と垂直磁気記録膜との間に軟磁性層が介在されている垂直磁気記録媒体において、前記軟磁性層と基板との間に前記軟磁性層を磁気的及び結晶学的に配向する軟磁性配向膜が介在されていることを特徴とする垂直磁気記録媒体が提供される。
【０００８】
　前記本発明の垂直磁気記録媒体の一実施例によれば、前記垂直磁気記録膜と前記軟磁性層との間に前記垂直磁気記録膜を磁気的に垂直配向する垂直配向下地膜が介在される。前記軟磁性配向膜はＰｔ、Ａｕ、Ａｇ、Ｐｄ、Ｃｏまたはパーマロイを主材料として形成されることが望ましい。
【発明の効果】
【０００９】
　前記のように本発明によれば、軟磁性層の下部に軟磁性層を磁気的に配向する軟磁性配向膜を設けることによって、軟磁性層の膜厚が薄くても磁気特性を安定化でき、かつノイズ発生量を減らすことができる。
【発明を実施するための最良の形態】
【００１０】
　以下、添付した図面を参照して本発明による垂直磁気記録媒体の望ましい実施例を詳細に説明する。
　図３及び図４は、本発明による二重磁気層垂直磁気記録媒体の第１、第２実施例の積層構造を示す。
【００１１】
　まず図３を参照すれば、基板３００の上側の表面に、情報が記録される垂直磁気記録膜３０４が設けられている。前記基板３００と垂直磁気記録膜３０４との間には、垂直配向下地膜３０３、およびその下に軟磁性膜３０２が上下に介在されている。この垂直配向下地膜３０３は、垂直磁気記録膜３０４の磁気配列を垂直に配向するために設けられる。また、軟磁性膜３０２と基板３００との間には、軟磁性膜３０２の磁気を配向する軟磁性配向膜３０１が介在されている。この軟磁性配向膜３０１は本発明を特徴づける要素である。一方、前記垂直磁気記録膜３０４上には垂直磁気記録膜３０４を外部から保護する保護膜３０５が形成され、この上にはＨＤＤの磁気ヘッドとの衝突及び摺動によるヘッド及び保護膜の摩耗を減少させるための潤滑膜３０６が形成される。
【００１２】
　図４を参照すれば、基板４００の上面に情報が記録される垂直磁気記録膜４０３が設けられている。前記基板４００と垂直磁気記録膜４０３との間には軟磁性膜４０２と、軟磁性膜４０２を磁気的に配向する軟磁性配向膜４０１とが介在されている。この軟磁性配向膜４０１も本発明を特徴づける要素である。一方、前記垂直磁気記録膜４０３上には垂直磁気記録膜４０３を外部から保護する保護膜４０４が形成され、この上にはＨＤＤの磁気ヘッドとの衝突及び摺動によるヘッド及び保護膜の摩耗を減少させるための潤滑膜４０５が形成される。
【００１３】
　前記軟磁性膜３０２、４０２は、前述したように、シングルポールヘッドを利用して垂直磁気記録を行う時、ヘッドから出る垂直磁気場の磁路を形成して垂直磁気記録膜３０４、４０３に情報の記録を可能にする役割をする。
【００１４】
　軟磁性膜３０２、４０２の下に蒸着された軟磁性層配向膜３０１、４０１は、それぞれ、軟磁性層の厚さを最小化し、かつ安定した軟磁性特性を付与することを可能にする。これにより、軟磁性膜３０２、４０２によるノイズが低減される。
【００１５】
　一般的に、軟磁性膜は特定結晶構造を有している。そのため、基板上に直接軟磁性膜を蒸着すると、不均一で不安定な厚い初期成長膜が形成される。このような初期成長層は磁気的に不安定なために、シングルポールヘッドの磁気場の磁路を形成するのにあまり役に立たない。したがって、安定した軟磁性層を形成させるために、初期成長膜上に十分に厚く軟磁性物質を蒸着しなければならない。しかし、このように厚くなった軟磁性層は記録再生時に媒体からのノイズを増加させる。本発明はこのようなノイズを減少させるために軟磁性層の厚さを薄くする。このように軟磁性層の厚さを薄くできるのは前述した軟磁性配向膜がその下部に位置するからである。本発明によって、前記のように厚い軟磁性膜を最大限薄くして媒体ノイズを減少させる。軟磁性膜の結晶構造と類似した結晶構造を有する軟磁性配向膜を軟磁性膜下に配置することによって、その上の軟磁性膜が安定した構造に蒸着初期から成長できるようにした。このような軟磁性配向膜は軟磁性層の初期成長膜を最小化して薄い軟磁性層を形成可能にし、かつ結晶構造的に向上した軟磁性膜を形成可能にする。
【００１６】
　一般的に使用する軟磁性膜の場合、パーマロイや添加物が添加されたパーマロイ合金などが多く使われる。このようなパーマロイ合金は面心立方（Ｆａｃｅ　Ｃｅｎｔｅｒｅｄ　Ｃｕｂｉｃ；ＦＣＣ）構造を有するが、ガラス基板上に厚い初期成長層を形成する。このような初期成長層を抑制するために、ＰｔのようにＦＣＣ構造を有する軟磁性層配向膜を基板上に先に蒸着した後パーマロイ合金を蒸着すれば、軟磁性層の初期成長層が非常に薄くなり、軟磁性層の磁気的、結晶構造的特性を向上させることができる。このような結果、軟磁性膜の厚さを最小化しつつ磁気的特性を向上させて軟磁性膜から出る媒体ノイズを最小化し、ＳＮ比を向上させることができる。前記軟磁性配向膜の材料にはＰｔ、Ａｕ、Ａｇ、Ｐｄ、Ｃｏ、パーマロイやそれらのうち選択された少なくとも２つの材料の合金がある。
【００１７】
　図５は、本発明によってＰｔ膜を軟磁性配向膜として使用した二重磁気層垂直磁気記録媒体及び従来の二重磁気層垂直磁気記録媒体の磁気履歴曲線を示す。
　図５を参照すれば、本発明による場合、軟磁性膜の厚さを５０ｎｍまで薄くしても軟磁性膜を３００ｎｍの厚さに蒸着した従来の二重磁気層垂直磁気記録媒体と同じ磁気的特性を示す。したがって、軟磁性膜の厚さを５０ｎｍまで薄くしてノイズの低い垂直磁気記録媒体の製作が可能である。
【００１８】
　図６は本発明によってＰｔ膜を軟磁性配向膜として使用して軟磁性膜を５０ｎｍ厚さに蒸着した二重磁気層垂直磁気記録媒体及び垂直配向膜を使用せずに軟磁性膜だけを５０ｎｍ厚さに蒸着した二重磁気層垂直磁気記録媒体の磁気履歴曲線である。Ｐｔ軟磁性配向膜を使用した場合に薄い膜厚にもかかわらず磁気的特性が向上したことがわかる。
【産業上の利用可能性】
【００１９】
　本発明の垂直磁気記録媒体は既存のＨＤＤに適用できる。すなわち、本願発明により得られたＨＤＤは、垂直磁気記録方式により高い記録密度を有しつつもノイズ発生量の少ない薄い軟磁性膜を有する。かかる本願発明は当業者により多様な様態の実施例として実施される。これは、本発明の精神を離脱せずに前述した望ましい実施例を考慮した多くの変化と修正は容易であることを意味する。本発明の技術的な範囲は特許請求の範囲によってより明確に指摘される。本願の技術内容の開示及び発表は単に例示に過ぎず、特許請求の範囲によりさらに明確に指摘された本発明の範囲を制限することではない。
【図面の簡単な説明】
【００２０】
【図１】従来の二重磁気層垂直磁気記録用媒体の積層構造を示す図面である。
【図２】従来の他の二重磁気層垂直磁気記録用媒体の積層構造を示す図面である。
【図３】本発明による垂直磁気記録媒体の第１実施例の積層構造を示す図面である。
【図４】本発明による垂直磁気記録媒体の第２実施例の積層構造を示す図面である。
【図５】本発明による垂直磁気記録媒体の磁気履歴曲線である。
【図６】本発明による垂直磁気記録媒体の磁気履歴曲線である。
【符号の説明】
【００２１】
　３００　基板
　３０１　軟磁性配向膜
　３０２　軟磁性膜
　３０３　垂直配向下地膜
　３０４　垂直磁気記録膜
　３０５　保護膜
　３０６　潤滑膜
【図１】
2004063076.tif 000003
【図２】
2004063076.tif 000004
【図３】
2004063076.tif 000005
【図４】
2004063076.tif 000006
【図５】
2004063076.tif 000007
【図６】
2004063076.tif 000008